(57)【要約】【課題】照明器具の機能を有するライティングダクト装置を提供する。【解決手段】電気機器の給電部が接続される長尺の一対の導電性レール１２、１２と；導電性レール１２、１２を包囲し、電気機器を移動可能に保持するダクト状の保持体１１と；保持体１１の一部に設けられ、外部から指示情報を受けて電源を導電性レールへ供給する制御を行う制御部３０と；保持体１１に設けられ、制御部３０の制御により点灯されるＬＥＤ常夜灯２８と；を具備する。【選択図】図３
2009009741.tif 000002
【特許請求の範囲】
【請求項１】
電気機器の給電部が接続される長尺の一対の導電性レールと；
導電性レールを包囲し、電気機器を移動可能に保持するダクト状の保持体と；
保持体の一部に設けられ、外部から指示情報を受けて電源を導電性レールへ供給する制御を行う制御部と；
保持体に設けられ、制御部の制御により点灯される照明負荷と；
を具備することを特徴とするライティングダクト装置。
【請求項２】
照明負荷は、常夜灯であり、
制御部は、導電性レールに対する給電制御とは別の制御により常夜灯の点灯を行うことを特徴とする請求項１に記載のライティングダクト装置。
【発明の詳細な説明】
【技術分野】
【０００１】
この発明は、導電性レールを包囲し、主に照明器具である電気機器を保持するダクト形状のライティングダクト装置に関するものである。
【背景技術】
【０００２】
ライティングダクト装置は、導電性レールに照明器具などの給電部を接続し、ダクト形状の保持部内を給電部が長手方向に移動可能なものであり、照明位置を変更できる特性を有する装置である。
【０００３】
例えば特許文献１には、複数条のダクトを集合したライティングダクト装置が示されており、給電範囲を区分するものが示されている。このような従来のライティングダクト装置は、基本的に照明器具を吊すなどの保持機能と、照明器具などへの給電機能とを備えることが中心的に考慮されており、それ自体が照明器具の機能を有するものとは考えられていない。
【特許文献１】特開２００６-２３０１１３号公報
【発明の開示】
【発明が解決しようとする課題】
【０００４】
本発明は上記のようなライティングダクト装置の現状に鑑みてなされたもので、その目的は、それ自体が照明器具の機能を有するライティングダクト装置を提供することである。
【課題を解決するための手段】
【０００５】
本発明に係るライティングダクト装置は、電気機器の給電部が接続される長尺の一対の導電性レールと；導電性レールを包囲し、電気機器を移動可能に保持するダクト状の保持体と；保持体の一部に設けられ、外部から指示情報を受けて電源を導電性レールへ供給する制御を行う制御部と；保持体に設けられ、制御部の制御により点灯される照明負荷と；を具備することを特徴とする。
【０００６】
電源は、商用電源を許容する。保持体は天井や壁に取付けられる。電気機器としては主に照明器具であるが、特に限定されない。外部からの指示情報は、リモコンなどにより伝送される。指示情報としては、導電性レールへの給電と給電停止、照明負荷の点灯消灯制御などが含まれる。照明負荷としては、種類の限定はない。
【０００７】
本発明の請求項２に係るライティングダクト装置においては、照明負荷は、常夜灯であり、制御部は、導電性レールに対する給電制御とは別の制御により常夜灯の点灯を行うことを特徴とする。
【０００８】
常夜灯はＬＥＤや白熱球を使用することができる。別の制御とは、導電性レールに給電を行っている場合に常夜灯を消灯状態としたり、逆に、導電性レールに給電を行わない場合に常夜灯を点灯状態としたりなど導電性レール側とは回路において別の回路に対する制御を指す。
【発明の効果】
【０００９】
本発明に係るライティングダクト装置によれば、保持体に設けられた照明負荷を、導電性レールに接続する照明器具から独立して点消灯制御することができる。
【００１０】
請求項２の本発明に係るライティングダクト装置によれば、常夜灯が保持体に設けられ、制御部の制御により点灯されるので、常夜灯を備えない照明器具が導電性レールに接続された場合には常夜灯の機能を実現でき、また、常夜灯を備えた照明器具が導電性レールに接続された場合には保持体に設けられた常夜灯または照明器具の常夜灯のいずれか一方のみを点灯させることによって、無駄な電力消費を抑制することができる。
【発明を実施するための最良の形態】
【００１１】
以下、添付図面を参照して、本発明に係るライティングダクト装置の実施例を説明する。各図において同一の構成要素には、同一の符号を付して重複する説明を省略する。図１は、本発明に係るライティングダクト装置の実施例の側面図であり、図２は図１におけるＡ−Ａ断面の要部を示す図である。ライティングダクト装置は、ダクト状の長尺な保持体１１内に、長尺の一対の導電性レール１２、１２が包囲されるように設けられたものである。
【００１２】
保持体１１の底面側は図２に明らかな通り開口しており、保持体１１内には、電気機器である照明器具１８の給電部が移動可能に挿入され、照明器具１８の給電部は導電性レール１２、１２に接触した状態で保持体１１内に保持される。保持体１１の中央上部には、有底円筒状の取付本体１６が設けられており、取付本体１６の底面には、周縁に沿うように二条の溝が巴状に配置されて形成され、各溝の一端にダルマ穴が形成されている。
【００１３】
この例では天井２０には、円筒状のサポート２１が取り付けられている。円筒状のサポート２１からは、下方へ突出して二本のローレットネジ２２が設けられている。このローレットネジ２２は、取付本体１６の底面に設けられたダルマ穴に挿入され、取付本体１６を回転させることにより巴状に配置された溝に沿って移動され、終端で固定される。
【００１４】
取付本体１６内には引掛けシーリングキャップ１３が収納されるように構成され、引掛けシーリングキャップ１３は、天井２０に設けられたサポート２１の中央部において、天井２０に取り付けられた引掛けシーリング１４に結合される。シーリングキャップ１３には、コード１５が接続されており、コード１５を介して保持体１１の一端側に設けられた制御部３０へ給電が行われる。
【００１５】
制御部３０の近傍における保持体１１の照明器具１８を取付ける面側には、ＬＥＤ常夜灯２８と共に受信部２７が設けられている。
【００１６】
ライティングダクト装置の回路構成図を図３に示す。制御部３０には、コントローラ３１が設けられ、整流回路３２により交流電源３３を整流して、上記コントローラ３１へ直流電力を供給している。
【００１７】
コントローラ３１には、受信部２７が接続され、受信部２７はリンモートコントローラ４１から送信された信号を受けて指示情報としてコントローラ３１へ送る。リンモートコントローラ４１は、導電性レール１２、１２への給電開始、給電終了の指示情報、更には、ＬＥＤ常夜灯２８の点灯・消灯の指示情報などを送信するためのものである。
【００１８】
交流電源３３には、トライアック４２を介して導電性レール１２、１２が接続される。トライアック４２のゲート端子にはコントローラ３１から制御信号が与えられ、この制御信号によりトライアック４２をオンオフして交流電源３３の経路の導通と遮断により、導電性レール１２、１２への給電及び給電停止の制御がなされる。更に、コントローラ３１には、ＬＥＤ常夜灯２８が接続されている。
【００１９】
照明器具１８の給電部は、導電性レール１２、１２に接続される。照明器具１８が、例えば壁などに設置されるプル壁スイッチなどと称されるスイッチＳＷの操作によって照明状態が切り換えられるものであれば、スイッチＳＷは、交流電源３３から導電性レール１２、１２へ到る経路における例えば図３により示される位置に設けられる。
【００２０】
照明器具１８には、照明用の電球などの照明負荷以外に常夜灯１８ａが設けられており、上記スイッチＳＷの操作により、全光による点灯、調光による点灯、常夜灯１８ａの点灯の切り換えが可能であるとする。このとき、コントローラ３１はＬＥＤ常夜灯２８を消灯させる。
【００２１】
また、リンモートコントローラ４１から導電性レール１２、１２への給電をコントローラ３１に対し指示した場合には、ＬＥＤ常夜灯２８の消灯の指示情報を送信しておく。これによって、常夜灯が２つ点灯するという無駄な事態を防止し、電力消費を抑制することができる。
【００２２】
上記に対して、照明器具１８に常夜灯１８ａが設けられていない場合には、リンモートコントローラ４１から導電性レール１２、１２への給電停止をコントローラ３１に対し指示するときに、ＬＥＤ常夜灯２８の点灯の指示情報を送信する。これによって、コントローラ３１はＬＥＤ常夜灯２８に電流を流して点灯させる。これにより、常夜灯を備えていない照明器具が導電性レール１２、１２に接続された場合にも、常夜灯による照明を得ることができる。
【図面の簡単な説明】
【００２３】
【図１】本発明に係るライティングダクト装置の実施例の側面図。
【図２】図１におけるＡ−Ａ断面の要部を示す図。
【図３】本発明に係るライティングダクト装置の実施例の回路構成を示す図。
【符号の説明】
【００２４】
１１  保持体
１２  導電性レール
１３  シーリングキャップ
１４  シーリング
１５  コード
１６  取付本体
１８  照明器具
１８ａ  常夜灯
２０  天井
２１  サポート
２２  ローレットネジ
２７  受信部
２８  ＬＥＤ常夜灯
３０  制御部
３１  コントローラ
３２  整流回路
３３  交流電源
４１  リンモートコントローラ
４２  トライアック
ＳＷ  スイッチ
【図１】
2009009741.tif 000003
【図２】
2009009741.tif 000004
【図３】
2009009741.tif 000005